(57)【要約】【課題】ユーザが観察する位置に応じて異なる画像を認識可能であって、かつ簡単な構成を有する画像表示装置を得る。【解決手段】Ｂ画素、Ｇ画素、及びＲ画素は斜め輝度が７０％となる特性を有し、Ｃ画素、Ｙ画素、及びＭ画素は斜め輝度が３５％となる特性を有する。そのため、ユーザが斜め方向からディスプレイを見たときにユーザの目に入射する光の光量は、各画素が同じ正面輝度で発光している場合であっても、Ｂ画素、Ｇ画素、及びＲ画素と、Ｃ画素、Ｙ画素、及びＭ画素とで異なる。Ｂ画素、Ｇ画素、及びＲ画素のみが発光する第１及び第２の領域４１、４２では、正面から観察したときよりも明度が大きくなり、Ｃ画素、Ｙ画素、及びＭ画素のみが発光する第３の領域４３では、正面から観察したときよりも明度が小さくなる。【選択図】図８
2011081368.tif 000002
【特許請求の範囲】
【請求項１】
互いに独立である複数の色を各々発光する複数の第１の発光素子群と、前記第１の発光素子群とは異なる色であって互いに独立である複数の色を各々発光する複数の第２の発光素子群とから成る画素を複数備える表示部材と、
前記第１及び第２の発光素子群の発光輝度を制御する発光制御部とを備え、
前記第１の発光素子群及び前記第２の発光素子群が正面方向に対して略同じ光量の光を放射しているとき、前記第１の発光素子群が斜め方向に対して放射する光量は、前記第２の発光素子群が前記斜め方向に対して放射する光量と異なり、
前記発光制御部は、前記第１の発光素子群及び前記第２の発光素子群が発光可能な複数の色の光の組み合せである第１の組み合わせと、前記第１の組み合せとは異なる組み合せである第２の組み合せとを用い、前記第１の組み合わせが正面方向に発した光による三刺激値が、前記第２の組み合わせが正面方向に発した光による三刺激値と等しくなるように前記第１及び第２の発光素子群の発光輝度を制御する画像表示装置。
【請求項２】
前記表示部材は、表示する画像に応じて設けられる第１の領域及び第２の領域を有し、
前記発光制御部は、前記第１の領域を前記第１の組み合わせを発光させることにより表示し、前記第２の領域を前記第２の組み合わせを発光させることにより表示する請求項１に記載の画像表示装置。
【請求項３】
前記表示部材は、表示する画像に応じて設けられる第３の領域をさらに有し、
前記発光制御部は、前記第１及び第２の組み合せとは異なる組み合せである第３の組み合せを用い、前記第３の領域内に位置する複数の前記第３の組み合わせの発光輝度が互いに等しくなるように、かつ前記第１及び第２の領域内に位置する複数の前記第１及び第２の組み合わせの発光輝度と異なるように制御する請求項２に記載の画像表示装置。
【請求項４】
前記第１の領域の明度Ｌ１、前記第２の領域の明度Ｌ２、第２の領域のピクセルが有する各画素の輝度値［ｒ２，ｇ２，ｂ２，ｃ２，ｍ２，ｙ２］、第３の領域のピクセルが有する各画素の輝度値［ｒ３，ｇ３，ｂ３，ｃ３，ｍ３，ｙ３］、第２の領域のピクセルが有する各画素の輝度値により得られた三刺激値［Ｘ２，Ｙ２，Ｚ２］、及び第３の領域のピクセルが有する各画素の輝度値により得られた三刺激値［Ｘ３，Ｙ３，Ｚ３］は、以下の式により決定される請求項３に記載の画像表示システム。
Ｌ１＞Ｌ２
［Ｘ２，Ｙ２，Ｚ２］＝［Ｘ３，Ｙ３，Ｚ３］
［ｒ２，ｇ２，ｂ２，ｃ２，ｍ２，ｙ２］≠［ｒ３，ｇ３，ｂ３，ｃ３，ｍ３，ｙ３］
【請求項５】
複数の前記第１及び第２の発光素子群は、発光する光を混色することにより複数色の光を生成する請求項１に記載の画像表示装置。
【請求項６】
前記第１の発光素子群は、赤色、緑色、青色各色の発光色を有する発光素子から成り、前記第２の発光素子群は、シアン色、イエロー色、マゼンタ色各色の発光色を有する発光素子から成る請求項５に記載の画像表示装置。
【請求項７】
前記発光制御部は、前記第１の組み合わせが正面方向に発した光による明度が、前記第２の組み合わせが正面方向に発した光による明度と等しくなるように、前記第１及び第２の発光素子群の発光輝度を制御する請求項１に記載の画像表示装置。
【請求項８】
互いに独立である複数の色を各々発光する複数の第１の発光素子群と、前記第１の発光素子群とは異なる色であって互いに独立である複数の色を各々発光する複数の第２の発光素子群とから成る画素を複数備え、前記第１の発光素子群及び前記第２の発光素子群が正面方向に対して略同じ光量の光を放射しているとき、前記第１の発光素子群が斜め方向に対して放射する光量は、前記第２の発光素子群が前記斜め方向に対して放射する光量と異なる表示部材を用いて、複数の色領域を有する画像を表示する画像表示方法であって、
前記第１の発光素子群及び前記第２の発光素子群が発光可能な複数の色の光の組み合せである第１の組み合わせと、前記第１の組み合せとは異なる組み合せである第２の組み合せとを作成するステップと、
前記第１の組み合わせが正面方向に発した光による三刺激値が、前記第２の組み合わせが正面方向に発した光による三刺激値と等しくなるように前記第１及び第２の発光素子群を発光させるステップと
を備える画像表示方法。
【発明の詳細な説明】
【技術分野】
【０００１】
本発明は、観察する角度によりユーザが認識する画像が異なる画像表示装置に関する。
【背景技術】
【０００２】
画像表示装置には、観察する角度によりユーザが認識する画像が異なるものがある。液晶パネルの上に視差バリアを設け、異なる方向に異なる画像を表示する。２人のユーザが、それぞれ異なる所定の位置から画像表示装置を観察すると、異なる画像を観察することが可能である（特許文献１）。
【先行技術文献】
【特許文献】
【０００３】
【特許文献１】特表２００８−５２７４４０号公報
【発明の概要】
【発明が解決しようとする課題】
【０００４】
しかし、従来の構成では、視差バリアを所定の位置に設けなければならず、構造が複雑になる。さらに、異なる方向に向けて射出される光どうしの干渉を押さえるための構造を設けなければならず、さらに複雑な構造が必要になる。
【０００５】
本発明はこれらの問題に鑑みてなされたものであり、ユーザが観察する位置に応じて異なる画像を認識可能であって、かつ簡単な構成を有する画像表示装置を得ることを目的とする。
【課題を解決するための手段】
【０００６】
本願第１の発明による画像表示装置は、互いに独立である複数の色を各々発光する複数の第１の発光素子群と、第１の発光素子群とは異なる色であって互いに独立である複数の色を各々発光する複数の第２の発光素子群とから成る画素を複数備える表示部材と、第１及び第２の発光素子群の発光輝度を制御する発光制御部とを備え、第１の発光素子群及び第２の発光素子群が正面方向に対して略同じ光量の光を放射しているとき、第１の発光素子群が斜め方向に対して放射する光量は、第２の発光素子群が斜め方向に対して放射する光量と異なり、発光制御部は、第１の発光素子群及び第２の発光素子群が発光可能な複数の色の光の組み合せである第１の組み合わせと、第１の組み合せとは異なる組み合せである第２の組み合せとを用い、第１の組み合わせが正面方向に発した光による三刺激値が、第２の組み合わせが正面方向に発した光による三刺激値と等しくなるように第１及び第２の発光素子群の発光輝度を制御することを特徴とする。
【０００７】
表示部材は、表示する画像に応じて設けられる第１の領域及び第２の領域を有し、発光制御部は、第１の領域を第１の組み合わせを発光させることにより表示し、第２の領域を第２の組み合わせを発光させることにより表示することが好ましい。
【０００８】
表示部材は、表示する画像に応じて設けられる第３の領域をさらに有し、発光制御部は、第１及び第２の組み合わせとは異なる組み合わせである第３の組み合わせを用い、第３の領域内に位置する複数の第３の組み合わせの発光輝度が互いに等しくなるように、かつ第１及び第２の領域内に位置する複数の第１及び第２の組み合わせの発光輝度と異なるように制御しても良い。
【０００９】
第１の領域の明度Ｌ１、第２の領域の明度Ｌ２、第２の領域のピクセルが有する各画素の輝度値［ｒ２，ｇ２，ｂ２，ｃ２，ｍ２，ｙ２］、第３の領域のピクセルが有する各画素の輝度値［ｒ３，ｇ３，ｂ３，ｃ３，ｍ３，ｙ３］、第２の領域のピクセルが有する各画素の輝度値により得られた三刺激値［Ｘ２，Ｙ２，Ｚ２］、及び第３の領域のピクセルが有する各画素の輝度値により得られた三刺激値［Ｘ３，Ｙ３，Ｚ３］は、以下の式により決定されることが好ましい。
Ｌ１＞Ｌ２
［Ｘ２，Ｙ２，Ｚ２］＝［Ｘ３，Ｙ３，Ｚ３］
［ｒ２，ｇ２，ｂ２，ｃ２，ｍ２，ｙ２］≠［ｒ３，ｇ３，ｂ３，ｃ３，ｍ３，ｙ３］
【００１０】
複数の第１及び第２の発光素子群は、発光する光を混色することにより複数色の光を生成することが好ましい。
【００１１】
第１の発光素子群は、赤色、緑色、青色各色の発光色を有する発光素子から成り、第２の発光素子群は、シアン色、イエロー色、マゼンタ色各色の発光色を有する発光素子から成るものであればなお良い。
【００１２】
発光制御部は、第１の組み合わせが正面方向に発した光による明度が、第２の組み合わせが正面方向に発した光による明度と等しくなるように、第１及び第２の発光素子群の発光輝度を制御してもよい。
【００１３】
本願第２の発明による画像表示方法は、互いに独立である複数の色を各々発光する複数の第１の発光素子群と、第１の発光素子群とは異なる色であって互いに独立である複数の色を各々発光する複数の第２の発光素子群とから成る画素を複数備え、第１の発光素子群及び第２の発光素子群が正面方向に対して略同じ光量の光を放射しているとき、第１の発光素子群が斜め方向に対して放射する光量は、第２の発光素子群が斜め方向に対して放射する光量と異なる表示部材を用いて、複数の色領域を有する画像を表示する画像表示方法であって、第１の発光素子群及び第２の発光素子群が発光可能な複数の色の光の組み合せである第１の組み合わせと、第１の組み合せとは異なる組み合せである第２の組み合せとを作成するステップと、第１の組み合わせが正面方向に発した光による三刺激値が、第２の組み合わせが正面方向に発した光による三刺激値と等しくなるように第１及び第２の発光素子群を発光させるステップとを備えることを特徴とする。
【発明の効果】
【００１４】
本発明によれば、ユーザが観察する位置に応じて異なる画像を認識可能であって、かつ簡単な構成を有する画像表示装置を得る。
【図面の簡単な説明】
【００１５】
【図１】第１の実施形態による画像表示装置を模式的に示した図である。
【図２】画素における観察角度による輝度を示した図である。
【図３】画素を拡大して表示した図である。
【図４】人間の等色関数を模式的に示した図である。
【図５】第１の画像を示した図である。
【図６】各領域に位置する画素が発光する光の輝度を示した図である。
【図７】ユーザが正面から見たときの画像表示装置の画面を示した図である。
【図８】ユーザが斜めから見たときの画像表示装置の画面を示した図である。
【図９】第２の実施形態による画像表示装置において、ユーザが斜めから見たときの画像表示装置の画面を示した図である。
【図１０】ユーザが正面から見たときの画像表示装置の画面を示した図である。
【図１１】第３の実施形態による画像表示装置に表示される第３の画像を示した図である。
【図１２】各領域に位置する画素が発光する光の輝度を示した図である。
【図１３】ユーザが正面から見たときの画像表示装置の画面を示した図である。
【図１４】ユーザが斜めから見たときの画像表示装置の画面を示した図である。
【発明を実施するための形態】
【００１６】
以下、本発明における画像表示装置について添付図面を参照して説明する。
【００１７】
まず、第１の実施形態による画像表示装置１００の構成について説明する。
【００１８】
図１を参照すると、画像表示装置１００は、画像生成装置１０及びディスプレイ２０から構成される。
【００１９】
画像生成装置１０とディスプレイ２０はケーブルで接続され、画像生成装置１０が作成した画像をディスプレイ２０が表示する。ユーザ４０は、ディスプレイ２０に表示される画像を観察する。
【００２０】
ディスプレイ２０は画面を有する。画面は、複数のピクセル２１（図３参照）により構成され、１つのピクセル２１は、６つの発光体と６種類のフィルタとを備える。６種類のフィルタは、赤色（Ｒ）、緑色（Ｇ）、青色（Ｂ）、シアン色（Ｃ）、マゼンタ色（Ｍ）、及びイエロー色（Ｙ）の光を各々透過する。１つの発光体には、６種類のフィルタのいずれか１つが設けられる。発光体は白色光を発光し、白色光のうち特定の波長を有する光のみがフィルタを透過する。例えば、赤色のフィルタを透過した白色光は、赤色の波長を有する光となる。１つのフィルタを透過する光の波長の外縁は、他のフィルタを透過する光の波長とわずかに重複する。
【００２１】
発光体が発する光の輝度は、観察する角度により変化する。変化の状態により、第１の画素種と第２の画素種に分けられる。
【００２２】
図２は、第１の画素種及び第２の画素種における、発光体を正面から見たときの輝度と斜めから見たときの輝度との関係を示している。正面輝度が５０％となるように第１の画素種を発光させたとき、斜めから見たときの輝度は７０％となる。一方、正面輝度が５０％となるように第２の画素種を発光させると、斜めから見たときの輝度は３５％となる。このような特性を有する第１の画素種に赤色、緑色、青色のフィルタを取り付け、第２の画素種にシアン色、マゼンタ色、イエロー色のフィルタを取り付ける。
【００２３】
６種類のフィルタは、図３に示すような特定の様式に従って１ピクセルの中に並べられる。以下、赤色に発色する画素をＲ画素、緑色に発色する画素をＧ画素、青色に発色する画素をＢ画素、シアン色に発色する画素をＣ画素、マゼンタ色に発色する画素をＭ画素、及びイエロー色に発色する画素をＹ画素と呼ぶ。
【００２４】
画像生成装置１０は、画像を生成するＧＰＵ１１と、画像を一時的に記憶するＶＲＡＭ（画像メモリ）１２を備える。ＶＲＡＭ１２は各画素に対応するメモリ領域を備え、各画素の輝度を各メモリ領域に記憶する。画像生成装置１０が外部から画像を受信すると、ＧＰＵ１１は、ＶＲＡＭ１２に画像を一時的に記憶させながら、受信した画像に応じて各画素の輝度を決定する。その後、ディスプレイ２０に画像信号を出力する。
【００２５】
人間の目は、図４に図示するような等色関数を有する。図４は、等色関数を模式的に示したものであり、説明のため簡略化している。
【００２６】
図４に示されるグラフにおいて、横軸は光の波長を示す。横軸の下に記載した文字は、その波長の光が人間の目に入ったとき、人間が感じる色を表す。Ｂは青色、Ｃはシアン色、Ｇは緑色、Ｙはイエロー色、Ｒは赤色を示す。例えばＢの波長のみを有する光が人間の目に入ったとき、人間は、青色を感じる。
【００２７】
複数の波長を有する光が人間の目に入ったとき、人間が感じる色は、各波長における輝度を等色関数により変換して求められる三刺激値による。ディスプレイ２０のように６種類の光を発光する場合、三刺激値Ｘ、Ｙ、Ｚは、等色関数ｘ（λ）、ｙ（λ）及びｚ（λ）を用いて、以下の式により求められる。Ｘは赤色に対する刺激値、Ｙは緑色に対する刺激値、Ｚは青色に対する刺激値である。
Ｘ＝∫[３８０：７８０]｛ｒ・Ｓｒ（λ）＋ｇ・Ｓｇ（λ）＋ｂ・Ｓｂ（λ）＋ｃ・Ｓｃ（λ）＋ｍ・Ｓｍ（λ）＋ｙ・Ｓｙ（λ）｝・ｘ（λ）ｄλ
Ｙ＝∫[３８０：７８０]｛ｒ・Ｓｒ（λ）＋ｇ・Ｓｇ（λ）＋ｂ・Ｓｂ（λ）＋ｃ・Ｓｃ（λ）＋ｍ・Ｓｍ（λ）＋ｙ・Ｓｙ（λ）｝・ｙ（λ）ｄλ
Ｚ＝∫[３８０：７８０]｛ｒ・Ｓｒ（λ）＋ｇ・Ｓｇ（λ）＋ｂ・Ｓｂ（λ）＋ｃ・Ｓｃ（λ）＋ｍ・Ｓｍ（λ）＋ｙ・Ｓｙ（λ）｝・ｚ（λ）ｄλ
ここで、ｒはＲ画素の発光輝度、ｇはＧ画素の発光輝度、ｂはＢ画素の発光輝度、ｃはＣ画素の発光輝度、ｍはＭ画素の発光輝度、ｙはＹ画素の発光輝度である。そして、Ｓｒ（λ）はＲ画素のフィルタを透過した光の分光分布、Ｓｇ（λ）はＧ画素のフィルタを透過した光の分光分布、Ｓｂ（λ）はＢ画素のフィルタを透過した光の分光分布、Ｓｃ（λ）はＣ画素のフィルタを透過した光の分光分布、Ｓｍ（λ）はＭ画素のフィルタを透過した光の分光分布、Ｓｙ（λ）はＹ画素のフィルタを透過した光の分光分布である。
【００２８】
次に、外部から受信した第１の画像５０を画像生成装置１０が画像処理して、ディスプレイ２０に表示する構成について図５から７を用いて説明する。
【００２９】
第１の画像５０は、各画素の輝度が各々異なる第１、第２、及び第３の領域４１、４２、４３を有する（図５参照）。
【００３０】
ＧＰＵ１１は、各領域内に位置する１ピクセルが有する各画素の輝度分布を図６に示すような値に設定する。すなわち、第１の領域４１では、Ｂ画素、Ｇ画素、及びＲ画素が輝度２．５で各々発光する。第２の領域４２では、Ｂ画素、Ｇ画素、及びＲ画素が輝度１で各々発光する。そして、第３の領域４３では、Ｃ画素、Ｙ画素、及びＭ画素が輝度１で各々発光する。これらの輝度は、以下の３式のいずれをも満たすように決定される。
Ｌ１＞Ｌ２
［Ｘ２，Ｙ２，Ｚ２］＝［Ｘ３，Ｙ３，Ｚ３］
［ｒ２，ｇ２，ｂ２，ｃ２，ｍ２，ｙ２］≠［ｒ３，ｇ３，ｂ３，ｃ３，ｍ３，ｙ３］
ここで、Ｌｎは第ｎの領域の明度、［ｒｎ，ｇｎ，ｂｎ，ｃｎ，ｍｎ，ｙｎ］は第ｎの領域のピクセルが有する各画素の輝度値、［Ｘｎ，Ｙｎ，Ｚｎ］は第ｎの領域のピクセルが有する各画素の輝度値により得られた三刺激値である。
【００３１】
すなわち、第１の領域４１の明度は第２の領域４２の明度より高く、第２の領域４２と第３の領域４３の輝度値は異なっている。一方、第２の領域４２と第３の領域４３の三刺激値は等しい。
【００３２】
そして、このようにして得られた第１の画像５０を、正面輝度５０％でディスプレイ２０に表示する。
【００３３】
ユーザ４０が正面から第１の画像５０を観察する場合について図６及び７を用いて説明する。
【００３４】
第１及び第２の領域４１、４２内に位置するＢ画素、Ｇ画素、Ｒ画素は、ユーザ４０が黒色から白色光を認識するような輝度で各々発光し、Ｃ画素、Ｙ画素、Ｍ画素は発光しない。一方、第３の領域４３内に位置するＢ画素、Ｇ画素、Ｒ画素は発光せず、Ｃ画素、Ｙ画素、Ｍ画素はユーザ４０が黒色から白色光を認識するような輝度で各々発光する。ここで、Ｂ画素、Ｇ画素、Ｒ画素、Ｃ画素、Ｙ画素、及びＭ画素の正面輝度は５０％であるから、第１の領域４１における各画素の輝度から求められる第１の領域４１の明度は、第２及び第３の領域４２、４３における各画素の輝度から求められる明度よりも大きくなる。すなわち、ユーザ４０は、第２及び第３の領域４２、４３よりも第１の領域４１を明るく感じて、第１の領域４１と第２及び第３の領域４２、４３との境界を認識する（図７参照）。
【００３５】
また、第２の領域４２は、Ｂ画素、Ｇ画素、及びＲ画素が同じ輝度で発光し、第３の領域４３は、Ｃ画素、Ｙ画素、及びＭ画素が同じ輝度で発光している。ここで、Ｂ画素、Ｇ画素、Ｒ画素、Ｃ画素、Ｙ画素、及びＭ画素の正面輝度は５０％であるから、第２の領域４２で発光する各画素の輝度を用いて等色関数により求められる三刺激値の値は、第３の領域４３で発光する各画素の輝度から求められる三刺激値と同じである。そのため、ユーザ４０は、第２の領域４２及び第３の領域４３は、同じ明度及び色で発光していると認識して、第２の領域４２と第３の領域４３との境界を認識できない（図７参照）。
【００３６】
ユーザ４０が斜め方向から第１の画像５０を観察する場合について図８を用いて説明する。Ｂ画素、Ｇ画素、及びＲ画素は斜め輝度が７０％となる特性を有し、Ｃ画素、Ｙ画素、及びＭ画素は斜め輝度が３５％となる特性を有する（図２参照）。そのため、ユーザ４０が斜め方向からディスプレイ２０を見たときにユーザ４０の目に入射する光の光量は、各画素が同じ正面輝度で発光している場合であっても、Ｂ画素、Ｇ画素、及びＲ画素と、Ｃ画素、Ｙ画素、及びＭ画素とで異なる。すなわち、正面からディスプレイ２０を観察した場合と比較して、斜めからディスプレイ２０を観察するユーザ４０の目に入射する光の光量が変化する。正面から各画素を観察した場合と比較して、斜めから観察した場合、Ｂ画素、Ｇ画素、及びＲ画素が発光した光は１．４倍となり、Ｃ画素、Ｙ画素、及びＭ画素が発光した光は０．７倍となる。
【００３７】
第１から第３の領域４１−４３内に位置する各画素の発光輝度は、前述の状態と変わっていない。ここで、Ｂ画素、Ｇ画素、及びＲ画素の斜め輝度は７０％であるから、Ｂ画素、Ｇ画素、及びＲ画素のみが発光する第１及び第２の領域４１、４２では、正面から観察したときよりも明度が大きくなる。一方、Ｃ画素、Ｙ画素、及びＭ画素の斜め輝度は３５％であるから、Ｃ画素、Ｙ画素、及びＭ画素のみが発光する第３の領域４３では、正面から観察したときよりも明度が小さくなる。
【００３８】
第１の領域４１の明度は、第２の領域４２の明度よりも大きいから、ユーザ４０は、第３の領域４３、第２の領域４２、第１の領域４１の順に明度が大きくなると感じる。そのため、ユーザ４０は、第１の領域４１、第２の領域４２、第３の領域４３の境界を認識する（図８参照）。
【００３９】
本実施形態によれば、観察する位置に応じて異なる画像をユーザ４０が認識できるように画像を表示することができる。
【００４０】
次に、第２の実施形態による画像表示装置１００の構成について図６、９及び１０を用いて説明する。第１の実施形態と同様の構成については、同じ符号を付して説明を省略する。
【００４１】
画像生成装置１０は、外部から第２の画像６０を受信して、ディスプレイ２０に表示する。
【００４２】
第２の画像６０は、各画素の輝度が各々異なる第１、第２、及び第３の領域４１、４２、４３を有する。第１及び第３の領域４１、４３は、右目で所定の物体を観察したときの画像を表し、第１から第３の領域４１−４３は、左目で所定の物体を観察したときの画像を表す。
【００４３】
ＧＰＵ１１は、各領域内に位置する１ピクセルが有する各画素の輝度分布を図６に示すような値に設定する。すなわち、第１の領域４１では、Ｂ画素、Ｇ画素、及びＲ画素が輝度２．５で各々発光する。第２の領域４２では、Ｂ画素、Ｇ画素、及びＲ画素が輝度１で各々発光する。そして、第３の領域４３では、Ｃ画素、Ｙ画素、及びＭ画素が輝度１で各々発光する。これらの輝度は、以下の３式のいずれをも満たすように決定される。
Ｌ１＞Ｌ２
［Ｘ２，Ｙ２，Ｚ２］＝［Ｘ３，Ｙ３，Ｚ３］
［ｒ２，ｇ２，ｂ２，ｃ２，ｍ２，ｙ２］≠［ｒ３，ｇ３，ｂ３，ｃ３，ｍ３，ｙ３］
ここで、Ｌｎは第ｎの領域の明度、［ｒｎ，ｇｎ，ｂｎ，ｃｎ，ｍｎ，ｙｎ］は第ｎの領域のピクセルが有する各画素の輝度値、［Ｘｎ，Ｙｎ，Ｚｎ］は第ｎの領域のピクセルが有する各画素の輝度値により得られた三刺激値である。
【００４４】
すなわち、第１の領域４１の明度は第２の領域４２の明度より高く、第２の領域４２の輝度値は第３の領域４３の輝度値と異なる。一方、第２の領域４２の三刺激値は第３の領域４３の三刺激値と等しい。このようにして得られた第２の画像６０を、正面輝度５０％でディスプレイ２０に表示する。
【００４５】
ユーザ４０が正面から第２の画像６０を観察する場合について図６及び１０を用いて説明する。
【００４６】
第１及び第２の領域４１、４２内に位置するＢ画素、Ｇ画素、Ｒ画素は、ユーザ４０が黒色から白色光を認識するような輝度で各々発光し、Ｃ画素、Ｙ画素、Ｍ画素は発光しない。一方、第３の領域４３内に位置するＢ画素、Ｇ画素、Ｒ画素は発光せず、Ｃ画素、Ｙ画素、Ｍ画素はユーザ４０が黒色から白色光を認識するような輝度で各々発光する。ここで、Ｂ画素、Ｇ画素、Ｒ画素、Ｃ画素、Ｙ画素、及びＭ画素の正面輝度は５０％であるから、第１の領域４１における各画素の輝度から求められる第１の領域４１の明度は、第２及び第３の領域４２、４３における各画素の輝度から求められる明度よりも大きくなる。
【００４７】
また、第２の領域４２は、Ｂ画素、Ｇ画素、及びＲ画素が同じ輝度で発光し、第３の領域４３は、Ｃ画素、Ｙ画素、及びＭ画素が同じ輝度で発光している。ここで、Ｂ画素、Ｇ画素、Ｒ画素、Ｃ画素、Ｙ画素、及びＭ画素の正面輝度は５０％であるから、第２の領域４２で発光する各画素の輝度を用いて等色関数により求められる三刺激値の値は、第３の領域４３で発光する各画素の輝度から求められる三刺激値と同じである。
【００４８】
すなわち、正面から見たとき、ユーザ４０は、第２及び第３の領域４２、４３よりも第１の領域４１を明るく感じて、第１の領域４１と第２及び第３の領域４２、４３との境界を認識する（図１０参照）。また、ユーザ４０は、第２の領域４２及び第３の領域４３は、同じ明度及び色で発光していると認識して、第２の領域４２と第３の領域４３との境界を認識できない（図１０参照）。
【００４９】
ユーザ４０が斜め方向から第２の画像６０を観察する場合について図９を用いて説明する。Ｂ画素、Ｇ画素、及びＲ画素は斜め輝度が７０％となる特性を有し、Ｃ画素、Ｙ画素、及びＭ画素は斜め輝度が３５％となる特性を有する（図２参照）。そのため、ユーザ４０が斜め方向からディスプレイ２０を見たときにユーザ４０の目に入射する光の光量は、各画素が同じ正面輝度で発光している場合であっても、Ｂ画素、Ｇ画素、及びＲ画素と、Ｃ画素、Ｙ画素、及びＭ画素とで異なる。すなわち、正面からディスプレイ２０を観察した場合と比較して、斜めからディスプレイ２０を観察するユーザ４０の目に入射する光の光量が変化する。正面から各画素を観察した場合と比較して、斜めから観察した場合、Ｂ画素、Ｇ画素、及びＲ画素が発光した光は１．４倍となり、Ｃ画素、Ｙ画素、及びＭ画素が発光した光は０．７倍となる。
【００５０】
第１から第３の領域４１−４３内に位置する各画素の発光輝度は、前述の状態と変わっていない。ここで、Ｂ画素、Ｇ画素、及びＲ画素の斜め輝度は７０％であるから、Ｂ画素、Ｇ画素、及びＲ画素のみが発光する第１及び第２の領域４１、４２では、正面から観察したときよりも明度が大きくなる。一方、Ｃ画素、Ｙ画素、及びＭ画素の斜め輝度は３５％であるから、Ｃ画素、Ｙ画素、及びＭ画素のみが発光する第３の領域４３では、正面から観察したときよりも明度が小さくなる。
【００５１】
すなわち、斜めからみたとき、第１の領域４１の明度は、第２の領域４２の明度よりも大きいから、ユーザ４０は、第３の領域４３、第２の領域４２、第１の領域４１の順に明度が大きくなると感じる。そのため、ユーザ４０は、第１の領域４１、第２の領域４２、第３の領域４３の境界を認識する（図９参照）。
【００５２】
従って、ユーザ４０は、右目で第１及び第３の領域４１、４３を認識し、左目で第１から第３の領域４１−４３を認識する。これにより、ユーザ４０は第２の画像６０を立体として認識することができる。
【００５３】
本実施形態によれば、ユーザ４０が立体として認識可能な画像を、画像表示装置１００が表示可能となる。
【００５４】
次に、第３の実施形態による画像表示装置１００の構成について図１１〜１４を用いて説明する。第１の実施形態と同様の構成については、同じ符号を付して説明を省略する。
【００５５】
画像生成装置１０は、外部から第３の画像７０を受信して、ディスプレイ２０に表示する。第３の画像７０は、各画素の輝度が各々異なる第４、第５、及び第６の領域７１、７２、７３を有する。第４及び第６の領域７１、７３は、右目で所定の物体を観察したときの画像を表し、第４から第６の領域７１−７３は、左目で所定の物体を観察したときの画像を表す。
【００５６】
ＧＰＵ１１は、各領域内に位置する１ピクセルが有する各画素の輝度分布を図１２に示すような値に設定する。すなわち、第４の領域７１では、Ｂ画素、Ｇ画素、及びＲ画素が輝度２．５で各々発光する。第５の領域７２では、Ｂ画素、Ｃ画素、Ｇ画素、Ｙ画素、及びＲ画素が輝度１で各々発光する。そして、第６の領域７３では、Ｂ画素、Ｇ画素、及びＲ画素が輝度１．７５で各々発光する。これらの輝度は、以下の３式のいずれをも満たすように決定される。
Ｌ４＞Ｌ５
［Ｘ５，Ｙ５，Ｚ５］＝［Ｘ６，Ｙ６，Ｚ６］
［ｒ５，ｇ５，ｂ５，ｃ５，ｍ５，ｙ５］≠［ｒ６，ｇ６，ｂ６，ｃ６，ｍ６，ｙ６］
ここで、Ｌｎは第ｎの領域の明度、［ｒｎ，ｇｎ，ｂｎ，ｃｎ，ｍｎ，ｙｎ］は第ｎの領域のピクセルが有する各画素の輝度値、［Ｘｎ，Ｙｎ，Ｚｎ］は第ｎの領域のピクセルが有する各画素の輝度値により得られた三刺激値である。
【００５７】
すなわち、第４の領域７１の明度は第５の領域７２の明度よりも高く、第５の領域７２と第６の領域７３の輝度値は互いに異なり、第５の領域７２と第６の領域７３の三刺激値は互いに等しい。そして、このようにして得られた第３の画像７０をディスプレイ２０に表示する。
【００５８】
ユーザ４０が正面から第３の画像７０を観察する場合について図１１及び１３を用いて説明する。第４及び第６の領域７１、７３内に位置するＢ画素、Ｇ画素、Ｒ画素は、ユーザ４０が黒色から白色光を認識するような輝度で各々発光し、Ｃ画素、Ｙ画素、Ｍ画素は発光しない。一方、第５の領域７２内に位置するＢ画素、Ｇ画素、Ｒ画素、Ｃ画素、Ｙ画素、及びＭ画素はユーザ４０が黒色から白色光を認識するような輝度で各々発光する。ここで、Ｂ画素、Ｇ画素、Ｒ画素、Ｃ画素、Ｙ画素、及びＭ画素の正面輝度は５０％であるから、第４の領域７１における各画素の輝度から求められる第４の領域７１の明度は、第５及び第６の領域７２、７３における各画素の輝度から求められる明度よりも大きくなる。
【００５９】
また、第５の領域７２は、Ｂ画素、Ｇ画素、Ｒ画素、Ｃ画素、Ｙ画素、及びＭ画素が同じ輝度で発光し、第６の領域７３は、Ｂ画素、Ｇ画素、及びＲ画素が同じ輝度で発光している。ここで、Ｂ画素、Ｇ画素、Ｒ画素、Ｃ画素、Ｙ画素、及びＭ画素の正面輝度は５０％であるから、第５の領域７２で発光する各画素の輝度を用いて等色関数により求められる三刺激値の値は、第６の領域７３で発光する各画素の輝度から求められる三刺激値と同じである。
【００６０】
すなわち、正面から見たとき、ユーザ４０は、第５及び第６の領域７２、７３よりも第４の領域７１を明るく感じて、第４の領域７１と第５及び第６の領域７２、７３との境界を認識する（図１３参照）。また、ユーザ４０は、第５の領域７２及び第６の領域７３は、同じ明度及び色で発光していると認識して、第５の領域７２と第６の領域７３との境界を認識できない（図１３参照）。
【００６１】
ユーザ４０が斜め方向から第３の画像７０を観察する場合について図１４を用いて説明する。第４から第６の領域７１−７３内に位置する各画素の発光輝度は、前述の状態と変わっていない。ここで、Ｂ画素、Ｇ画素、及びＲ画素の斜め輝度は７０％であるから、Ｂ画素、Ｇ画素、及びＲ画素のみが発光する第４及び第６の領域７１、７３では、正面から観察したときよりも明度が大きくなる。一方、Ｃ画素、Ｙ画素、及びＭ画素の斜め輝度は３５％であるから、Ｃ画素、Ｙ画素、及びＭ画素を含む第５の領域７２では、正面から観察したときよりも明度が小さくなる。
【００６２】
すなわち、斜めからみたとき、第４の領域７１の明度は、第５の領域７２の明度よりも大きいから、ユーザ４０は、第６の領域７３、第５の領域７２、第４の領域７１の順に明度が大きくなると感じる。そのため、ユーザ４０は、第４の領域７１、第５の領域７２、第６の領域７３の境界を認識する（図１４参照）。
【００６３】
従って、ユーザ４０は、右目で第４及び第６の領域７１、７３を認識し、左目で第４から第６の領域７１−７３を認識する。これにより、ユーザ４０は第３の画像７０を立体として認識することができる。
【００６４】
本実施形態によれば、ユーザ４０が立体として認識可能な画像を、画像表示装置１００が表示可能となる。
【００６５】
なお、第１の画素種にシアン色、マゼンタ色、イエロー色のフィルタを取り付け、第２の画素種に赤色、緑色、青色のフィルタを取り付けてもよい。
【００６６】
上記のように第１及び第２の実施形態では、第１及び第２の領域においてＢ画素、Ｇ画素、Ｒ画素（第１の組合せ）が発光し、第３の領域においてＣ画素、Ｙ画素、Ｍ画素（第２の組合せ）が発光し、第３の実施形態では、第４及び第６の領域においてＢ画素、Ｇ画素、Ｒ画素（第１の組合せ）が発光し、第５の領域においてＢ画素、Ｃ画素、Ｇ画素、Ｙ画素、Ｒ画素（第２の組合せ）が発光するよう制御されるがこれに限るものではない。例えば、第１及び第２の領域、第４及び第６の領域においてＢ画素、Ｇ画素、Ｒ画素が発光し、第３の領域、第５の領域においてＣ画素が発光するよう制御したり、第１及び第２の領域、第４及び第６の領域においてＲ画素、Ｇ画素が発光し、第３の領域、第５の領域においてＣ画素、Ｙ画素が発光するよう制御したり、第１及び第２の領域、第４及び第６の領域においてＲ画素、Ｃ画素、Ｂ画素を発光させ、第３の領域、第５の領域においてＣ画素、Ｍ画素、Ｙ画素を発光させるよう制御してもよい。さらに、第１、第４の領域においてＲ画素、Ｇ画素、Ｂ画素が発光し、第２、第５の領域においてＣ画素、Ｍ画素、Ｙ画素が発光し、第３、第６の領域においてＢ画素、Ｃ画素、Ｇ画素、Ｙ画素、Ｒ画素が発光するよう制御してもよい。
【符号の説明】
【００６７】
１０  画像生成装置
１１  ＧＰＵ
１２  ＶＲＡＭ
２０  ディスプレイ
２１  ピクセル
４０  ユーザ
４１  第１の領域
４２  第２の領域
４３  第３の領域
５０  第１の画像
１００  画像表示装置
【図１】
2011081368.tif 000003
【図２】
2011081368.tif 000004
【図３】
2011081368.tif 000005
【図４】
2011081368.tif 000006
【図５】
2011081368.tif 000007
【図６】
2011081368.tif 000008
【図１１】
2011081368.tif 000009
【図１２】
2011081368.tif 000010
【図７】
2011081368.tif 000011
【図８】
2011081368.tif 000012
【図９】
2011081368.tif 000013
【図１０】
2011081368.tif 000014
【図１３】
2011081368.tif 000015
【図１４】
2011081368.tif 000016